(57)【要約】【課題】使い勝手のよい映像表示装置および端末装置を提供する。【解決手段】映像表示装置のリモート制御機能を有する端末装置において、前記映像表示装置の設定に関するコマンドを送信し、ステータス情報を受信する通信部と、放送局から出力された信号を受信して映像コンテンツを復号する信号受信部と、前記映像コンテンツのチャンネルを含むコマンドの内容を記憶する記憶部と、前記映像コンテンツや各種情報を表示する表示部と、を備え、前記通信部はコマンドを送信する際に前記端末装置固有の識別コードを送信し、リモート制御により前記映像表示装置のチャンネルを設定した後、前記ステータス情報を受信したら、記憶部に記憶したチャンネルの映像コンテンツを前記信号受信部で復号して前記表示部に表示する。【選択図】  図４
2014116705.tif 000002
【特許請求の範囲】
【請求項１】
映像表示装置のリモート制御機能を有する端末装置において、
前記映像表示装置の設定に関するコマンドを送信し、ステータス情報を受信する通信部と、
放送局から出力された信号を受信して映像コンテンツを復号する信号受信部と、
前記映像コンテンツのチャンネルを含むコマンドの内容を記憶する記憶部と、
前記映像コンテンツや各種情報を表示する表示部と、を備え、
前記通信部はコマンドを送信する際に前記端末装置固有の識別コードを送信し、
リモート制御により前記映像表示装置のチャンネルを設定した後、前記ステータス情報を受信したら、記憶部に記憶したチャンネルの映像コンテンツを前記信号受信部で復号して前記表示部に表示すること、を特徴とする端末装置。
【請求項２】
放送局から出力された信号を受信して映像コンテンツを復号する信号受信部と、
前記映像コンテンツを表示する表示部と、
端末装置により送信されたコマンドを受信し、ステータス情報を送信する通信部と、
前記コマンドの内容とコマンドを送信した端末装置の識別コードを記憶する記憶部と、を備え、
前記信号受信部は、複数の映像コンテンツを同時に受信可能であり、
前記端末装置からチャンネルを設定するコマンドを受信したら、
当該チャンネルの映像コンテンツを前記信号受信部で復号して前記表示部に表示すると共に、当該チャンネルと識別コードを前記記憶部に記憶し、
次にチャンネル設定コマンドを受信した際に、
当該チャンネルの映像コンテンツを前記信号受信部で復号して前記表示部に表示すると共に、識別コードが記憶部に記憶された識別コードとは異なる場合は、
記憶部に記憶された識別コードを有する端末装置にステータス情報を送信することを特徴とする映像表示装置。
【請求項３】
請求項２に記載の映像表示装置において、
前記記憶部は更に映像コンテンツを記録可能であり、
前記端末装置からチャンネルを設定するコマンドを受信したら、
当該チャンネルの映像コンテンツを前記信号受信部で復号して前記表示部に表示すると共に、当該チャンネルと識別コードを前記記憶部に記憶し、
次にチャンネル設定コマンドを受信した際に、
当該チャンネルの映像コンテンツを前記信号受信部で復号して前記表示部に表示すると共に、識別コードが記憶部に記憶された識別コードと異なる場合は、
記憶部に記憶されたチャンネルの映像コンテンツを前記信号受信部で復号して前記記憶部に記録すること、を特徴とする映像表示装置。
【請求項４】
請求項１に記載の端末装置において、
前記記憶部は更に映像コンテンツを記録可能であり、
リモート制御により前記映像表示装置のチャンネルを設定した後、前記ステータス情報を受信したら、記憶部に記憶したチャンネルの映像コンテンツを前記信号受信部で復号して前記記憶部に記録すること、を特徴とする端末装置。
【請求項５】
請求項３に記載の映像表示装置において、
前記端末装置からチャンネルを設定するコマンドを受信したら、
当該チャンネルの映像コンテンツを前記信号受信部で復号して前記表示部に表示すると共に、当該チャンネルと識別コードを前記記憶部に記憶し、
次にチャンネル設定コマンドを受信した際に、
当該チャンネルの映像コンテンツを前記信号受信部で復号して前記表示部に表示すると共に、識別コードが記憶部に記憶された識別コードとは異なる場合は、
記憶部に記憶されたチャンネルの映像コンテンツを前記信号受信部で復号して前記記憶部に記録し、
前記表示部に表示した映像コンテンツが終了したら前記記憶部に記録した映像コンテンツを再生すること、を特徴とする映像表示装置。
【請求項６】
テレビ番組の映像とテレビ番組に付随する広告手段としての映像を表示する映像表示装置、をリモート制御する機能を有する端末装置において、
前記映像表示装置の設定に関するコマンドを送信する送信部と、
テレビ信号を受信するテレビ信号受信部と、
一定時間切り換えずに視聴したチャンネルを記憶する記憶部と、を備え、
前記テレビ信号受信部は、前記広告手段としての映像の開始タイミングと終了タイミングを検出し、
前記開始タイミングから終了タイミングまでの間にリモート制御機能のチャンネル選択ボタンが押された時、
前記送信部は、当該チャンネルの設定コマンドを送信し、さらに前記記憶部に記憶されたチャンネルの設定コマンドを前記終了タイミングに応じて送信すること、を特徴とする端末装置。
【請求項７】
請求項６に記載の端末装置において、
前記テレビ信号受信部は、一定時間チャンネルを切り換えずに視聴した後に発生した無音のシーンチェンジ部を前記開始タイミングと判定し、
次に発生した無音のシーンチェンジ部を前記終了タイミングと判定すること、を特徴とする端末装置。
【請求項８】
請求項６に記載の端末装置において、
前記開始タイミングから終了タイミングまでの間にリモート制御機能のチャンネル選択ボタンが押された時、
前記送信部は、当該チャンネルの選択コマンドを送信し、さらに前記記憶部に記憶されたチャンネルの選択コマンドを前記開始タイミングと前記終了タイミングに応じて送信すること、を特徴とする端末装置。
【請求項９】
請求項６に記載の端末装置において、
前記開始タイミングから終了タイミングまでの間にリモート制御機能のチャンネル選択ボタンが押された時、
前記送信部は、２画面表示開始コマンドを送信し、追加された画面に対して当該チャンネルの選択コマンドを送信し、さらに、２画面表示終了コマンドを前記終了タイミングに応じて送信し、前記記憶部に記憶されたチャンネルの映像の表示のみに切り換えること、を特徴とする端末装置。
【請求項１０】
請求項６に記載の端末装置において、
前記テレビ信号受信部にて受信した映像を表示する表示部、を備え、
前記開始タイミングから終了タイミングまでの間にリモート制御機能のチャンネル選択ボタンが押された時、
前記送信部は、当該チャンネルの選択コマンドを送信し、
前記表示部は、前記記憶部に記憶されたチャンネルの映像を表示し、
さらに前記送信部は、前記記憶部に記憶されたチャンネルの選択コマンドを前記終了タイミングに応じて送信すること、を特徴とする端末装置。
【請求項１１】
請求項６に記載の端末装置において、
前記記憶部に記憶されたチャンネルの選択コマンドを前記終了タイミングに応じて送信する際に、テレビ放送の番組終了の場合は除外すること、を特徴とする端末装置。
【発明の詳細な説明】
【技術分野】
【０００１】
本発明は、映像表示装置および端末装置に関するものである。
【背景技術】
【０００２】
本技術分野の背景技術として、特開２００９−６５３０５号（特許文献１）がある。この公報には、課題として「本発明は、端末装置と大画面の情報受信端末装置による場所に依存することなくシームレスな視聴スタイルを提供好適な技術を提供する。」と記載されている。
【０００３】
この課題の解決手段として、「情報受信端末装置には、端末装置に移動視聴情報を送信する手段、映像情報システムは、２人以上のユーザの要求を満足する視聴環境の制御を行い、端末装置への情報受信端末装置からのコンテンツ視聴の継続のためのタイムコード情報の端末間連携とセンタ連携による、情報受信端末装置で視聴したコンテンツを継続して視聴するための端末装置へのコンテンツの送受信による視聴とその逆の端末装置でのコンテンツ視聴を情報受信端末で継続視聴が可能な構成とした。」と記載されている。
【０００４】
また、他の背景技術としては、特開２００１−２７５０９０号公報（特許文献２）がある。この公報には、課題として「ＣＭ明けの本編を見逃してしまうことがないようにした放送受信装置を提供することである。」と記載されている。
【０００５】
この課題の解決手段として「放送を受信する第１及び第２チューナ１３ａ、１３ｂと、受信した映像を記憶するＲＡＭ１８とを備えた放送受信装置１０において、第１チューナ１３ａで受信しているチャンネルの番組を出力している場合、ＲＡＭ１８に該番組の直近のコマーシャル直前の所定量の映像を記憶し、前記コマーシャル中に他のチャンネルへの切り換え指示があった場合、第２チューナ１３ｂで該他のチャンネルを受信し、第１チューナ１３ａで受信しているチャンネルの番組に代えて該他のチャンネルの番組を出力し、ＲＡＭ１８に記憶されているコマーシャル直前の映像と、第１チューナ１３ａで受信中のチャンネルの映像とが近似している場合、コマーシャルが終了した旨を出力する構成とする。」と記載されている。
【先行技術文献】
【特許文献】
【０００６】
【特許文献１】特開２００９−６５３０５号公報
【特許文献２】特開２００１−２７５０９０号公報
【発明の概要】
【発明が解決しようとする課題】
【０００７】
前記特許文献１には、発明の効果として「リビングルームにおいて家族で視聴しているコンテンツを大画面の受信端末装置（例えばテレビジョン受像機）により家族で視聴しながら、各個人の手元にあって持ち歩ける端末装置により、個々の都合に合わせて情報やデータを取得することが可能となる。」と記載されており、複数のユーザが同一のコンテンツを視聴し続ける場合に使い勝手がよい。しかし、複数のユーザが別のコンテンツを視聴する場合は考慮されていなかった。
【０００８】
例えば、複数のユーザが１つの映像表示装置でテレビ放送を視聴している時、１人のユーザがチャンネルを切り換えると、他のユーザは切り換える前のチャンネルの視聴を継続できないこと、などについて特に考慮はされていなかった。
【０００９】
また、前記特許文献２によれば、ＣＭ明けの本編を見逃してしまうことを防止することができる。
【００１０】
しかし、「ＣＭのようなイベントの、種類、タイトルおよび開始時間を含むイベント情報をデジタル放送用のデータに組み込む」と記載されており、これを行わないとコマーシャルを特定できないという課題がある。
【００１１】
そこで、本発明の目的は、使い勝手のよい映像表示装置および端末装置を提供することである。
【課題を解決するための手段】
【００１２】
上記課題を解決するために、例えば特許請求の範囲に記載の構成を採用する。
【００１３】
本願は上記課題を解決する手段を複数含んでいるが、その一例を挙げるならば、映像表示装置のリモート制御機能を有する端末装置において、前記映像表示装置の設定に関するコマンドを送信し、ステータス情報を受信する通信部と、放送局から出力された信号を受信して映像コンテンツを復号する信号受信部と、前記映像コンテンツのチャンネルを含むコマンドの内容を記憶する記憶部と、前記映像コンテンツや各種情報を表示する表示部と、を備え、前記通信部はコマンドを送信する際に前記端末装置固有の識別コードを送信し、リモート制御により前記映像表示装置のチャンネルを設定した後、前記ステータス情報を受信したら、記憶部に記憶したチャンネルの映像コンテンツを前記信号受信部で復号して前記表示部に表示すること、を特徴とする。
【００１４】
また、他の一例を挙げるならば、テレビ番組の映像とテレビ番組に付随する広告手段としての映像を表示する映像表示装置、をリモート制御する機能を有する端末装置において、前記映像表示装置の設定に関するコマンドを送信する送信部と、テレビ信号を受信するテレビ信号受信部と、一定時間切り換えずに視聴したチャンネルを記憶する記憶部と、を備え、前記テレビ信号受信部は、前記広告手段としての映像の開始タイミングと終了タイミングを検出し、前記開始タイミングから終了タイミングまでの間にリモート制御機能のチャンネル選択ボタンが押された時、前記送信部は、当該チャンネルの設定コマンドを送信し、さらに前記記憶部に記憶されたチャンネルの設定コマンドを前記終了タイミングに応じて送信すること、を特徴とする。
【発明の効果】
【００１５】
本発明によれば、使い勝手の良い映像表示装置および端末装置を提供することができる。
【００１６】
上記した以外の課題、構成及び効果は、以下の実施形態の説明により明らかにされる。
【図面の簡単な説明】
【００１７】
【図１】第１の実施例の映像表示システムの構成を示す図。
【図２】第１の実施例の端末装置の構成を示すブロック図。
【図３】第１の実施例の映像表示装置の構成を示すブロック図。
【図４】第１の実施例の端末装置の処理を示すフローチャート。
【図５（ａ）】第１の実施例の端末装置の画面の表示例。
【図５（ｂ）】第１の実施例の端末装置の画面の表示例。
【図５（ｃ）】第１の実施例の端末装置の画面の表示例。
【図５（ｄ）】第１の実施例の端末装置の画面の表示例。
【図６】第１の実施例の映像表示装置の処理を示すフローチャート。
【図７】第２の実施例の映像表示装置の処理を示すフローチャート。
【図８】第３の実施例の端末装置の処理を示すフローチャート。
【図９】第３の実施例の映像表示装置の処理を示すフローチャート。
【図１０】第４の実施例の映像表示装置の処理を示すフローチャート。
【図１１】第５の実施例の映像表示システムの構成を示す図。
【図１２】第５の実施例の端末装置の処理を示すフローチャート。
【図１３（ａ）】第３の実施例の端末装置の画面の表示例。
【図１３（ｂ）】第３の実施例の端末装置の画面の表示例。
【図１３（ｃ）】第５の実施例の端末装置の画面の表示例。
【図１３（ｄ）】第５の実施例の端末装置の画面の表示例。
【図１４】第６の実施例の映像表示装置の処理を示すフローチャート。
【図１５】第７の実施例の端末装置の処理を示すフローチャート。
【図１６】第７の実施例の端末装置の見逃し防止処理を示すフローチャート。
【図１７】第７の実施例の映像表示装置の処理を示すフローチャート。
【図１８】第８の実施例の端末装置の見逃し防止処理を示すフローチャート。
【図１９】第９の実施例の端末装置の見逃し防止処理を示すフローチャート。
【図２０】第１０の実施例の端末装置の見逃し防止処理を示すフローチャート。
【図２１】第１１の実施例の端末装置の見逃し防止処理を示すフローチャート。
【図２２】第１２の実施例の端末装置の見逃し防止処理を示すフローチャート。
【図２３】第７の実施例の端末装置の画面の表示例。
【図２４】第１３の実施例の端末装置の処理を示すフローチャート。
【図２５】第１３の実施例の映像表示装置の処理を示すフローチャート。
【図２６】第１４の実施例の端末装置の処理を示すフローチャート。
【図２７】第１４の実施例の端末装置の見逃し防止処理を示すフローチャート。
【発明を実施するための形態】
【００１８】
以下、図面を用いて実施例を説明する。
【実施例１】
【００１９】
図１は、本発明の第１の実施例の映像表示システムの構成を示す図である。本実施例の映像表示システムは、複数の端末装置１と映像表示装置３とを含む。
【００２０】
端末装置１は、無線通信機能を有しており、インターネット網から各種情報の送受信を行うことができる。また、離れた場所の映像表示装置３の制御（以降、「リモート制御」）を行う機能を有しており、ユーザは、端末装置１を用いて、映像表示装置３のチャンネルや音量などを操作することができる。複数の端末装置１を区別する必要がある場合は、端末装置１ａ、１ｂ、１ｃ、…のように表記する。
【００２１】
リモコン２は、映像表示装置３専用の制御装置であり、赤外線により映像表示装置３を操作することができる。
【００２２】
映像表示装置３は映像コンテンツを受信して表示する装置であり、例えば、放送局５から無線あるいは有線でテレビジョン信号を受信して、当該テレビジョン信号に基づく映像コンテンツを表示することができる。また、映像表示装置３は、ユーザ等によって指定されたＵＲＬ（Ｕｎｉｆｏｒｍ  Ｒｅｓｏｕｒｃｅ  Ｌｏｃａｔｏｒ）のインターネットコンテンツなど、無線ルータ６を介してネットワーク７から受信した映像コンテンツを表示することもできる。このように、映像表示装置３は、特定の放送局５やＵＲＬなど、ユーザ等によって指定された配信元から配信された映像コンテンツを受信し、表示することができる。なお、映像表示装置３は１台に限るものではなく、複数台存在してもよい。また、端末装置１も映像コンテンツを受信して表示することができる。
【００２３】
放送局５は、テレビジョン信号を出力する装置である。
【００２４】
無線ルータ６は、Ｗｉ−Ｆｉ（Ｗｉｒｅｌｅｓｓ  Ｆｉｄｅｌｉｔｙ）などの無線ＬＡＮ（Ｌｏｃａｌ  Ａｒｅａ  Ｎｅｔｗｏｒｋ）機能を備え、通信回線を経由してネットワーク７に接続できる。端末装置１や映像表示装置３は、無線ルータ６に接続することによりインターネット網から映像コンテンツや各種情報を入手し、表示することができる。また、無線ルータ６と映像表示装置３を無線で接続した例を示したが、これらを有線で接続してもよい。
【００２５】
図２は、図１の端末装置１の構成を示すブロック図である。
【００２６】
端末装置１の各部の制御は制御部２０が行う。制御部２０はＣＰＵ（Ｃｅｎｔｒａｌ  Ｐｒｏｃｅｓｓｉｎｇ  Ｕｎｉｔ）あるいは、任意の制御回路や、ＡＳＩＣ（Ａｐｐｒｅｃｉａｔｉｏｎ  Ｓｐｅｃｉｆｉｃ  ＩＣ）等の専用回路により構成される。
【００２７】
テレビ信号受信部２１はアンテナの他、チューナや復号化回路を含む信号処理回路等により構成されており、放送局５から出力されたテレビジョン信号を受信し、映像および音声を復号して表示部２２および音声出力部２３に送る。
【００２８】
表示部２２は例えば液晶パネルであり、各種情報を表示する。音声出力部２３は例えばアンプとスピーカによって構成されており、各種音声を出力する。操作部２４は例えばタッチパッドであり、ユーザによる操作を受け付け、当該操作に基づく指示を制御部２０に伝える。液晶パネルとタッチパッドを組み合わせて一体化したものは一般にタッチパネルと呼ばれ、本実施例でもタッチパネルを使用した例を記載している。
【００２９】
記憶部２５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュＲＯＭなどにより構成され、端末装置１を制御するためのプログラム、各種設定値や映像コンテンツなどを格納する。
【００３０】
ＬＡＮ通信部２６は例えばＷｉ−Ｆｉなどを使用して、無線ルータ６等を介して映像表示装置３に各種コマンドを送信する。また、映像表示装置３からステータス情報等を受信する。コマンドとは、端末装置１が映像表示装置３のリモート制御を行うための情報であり、例えば、電源のオンとオフの切り換えを指示する電源コマンドや、特定のチャンネルや音量を指示する設定コマンドなどが含まれる。ステータス情報とは、リモート制御の可否を特定し得る情報などが含まれる。また、例えば赤外線、Ｗｉ−Ｆｉ  Ｄｉｒｅｃｔ、Ｂｌｕｅｔｏｏｔｈ（登録商標）などを使用して、無線ルータ６等を介さずに映像表示装置３と直接コマンドやステータス情報を送受信してもよい。
【００３１】
なお、コマンドを送信する際には端末装置１固有の識別コードも送信する。識別コードとしては、端末装置１に個別に付与されるＩＤや電話番号などが適用可能である。また、一般的には一人のユーザが一つの端末装置１を所有することが想定されるため、端末装置１の製造メーカ等によってユーザごとに与えられるユーザＩＤを適用しても良い。この場合、ユーザＩＤは、ユーザの操作等に基づいて端末装置１に事前に記憶される。
【００３２】
図３は、図１の映像表示装置３の構成を示すブロック図である。
【００３３】
映像表示装置３の各部の制御は制御部３０が行う。制御部３０はＣＰＵあるいは、任意の制御回路や、ＡＳＩＣ等の専用回路により構成される。
【００３４】
テレビ信号受信部３１はアンテナの他、チューナや復号化回路を含む信号処理回路等により構成されており、放送局５から出力されたテレビジョン信号を受信し、映像および音声を復号して表示部３２および音声出力部３３に送る。また、テレビ信号受信部３１は上記信号処理回路等を複数備えており、複数のチャンネルを同時に受信可能である。
【００３５】
表示部３２は例えば液晶パネル、プラズマパネルや有機ＥＬ（ＥｌｅｃｔｒｏＬｕｍｉｎｅｓｃｅｎｃｅ）パネルなどによって構成されており、各種映像コンテンツ、および各種情報を表示する。
【００３６】
音声出力部３３は例えばアンプとスピーカによって構成されており、各種音声を出力する。
【００３７】
赤外線通信部３４は例えば赤外線を使用して、赤外線信機能を持つ端末装置あるいは専用リモコン２から送信された制御コマンドを受信し、その指示を制御部３０に伝える。
【００３８】
記憶部３５は、ＲＯＭ、ＲＡＭやフラッシュＲＯＭなどにより構成され、映像表示装置３を制御するためのプログラム、各種設定や映像コンテンツの他、電源コマンドを送信した端末装置１の識別コードなどを格納する。なお、ＨＤＤ（Ｈａｒｄ  Ｄｉｓｃ  Ｄｒｉｖｅ）やＢＤ（Ｂｌｕ−ｒａｙ  Ｄｉｓｃ）ドライブのようなストレージを備えてもよい。
【００３９】
ＬＡＮ通信部３６は有線あるいは無線で無線ルータ６と接続し、インターネット網などから映像コンテンツなどを受信することができる。また、例えばＷｉ−Ｆｉなどを使用して、無線ルータ６等を介して端末装置１から各種コマンドを受信する。また、端末装置１にステータス情報を送信する。なお、例えば赤外線、Ｗｉ−Ｆｉ  Ｄｉｒｅｃｔ、Ｂｌｕｅｔｏｏｔｈなどを使用して、無線ルータ６等を介さずに端末装置１と直接コマンドやステータス情報を送受信してもよい。
【００４０】
図４は、本発明の第１の実施例の端末装置１の処理を示すフローチャートである。このフローチャートは、端末装置１が映像表示装置３をリモート制御する際の処理を示している。
【００４１】
ステップＳ４０１において、端末装置１は、ユーザの操作に基づき、映像表示装置３のリモート制御を行うためのアプリケーションソフトウェア（以降、「操作アプリ」）が起動されるのを待つ。
【００４２】
図５は、端末装置１のタッチパネル式の表示部２２の各種表示例である。図５（ａ）は、端末装置１に各種アプリケーションソフトウェアが並んだメニュー画面を示しており、例えばタッチパネルに表示された「テレビ」ボタンがユーザによって押されると操作アプリが起動する。
【００４３】
ステップＳ４０２において、ユーザの操作に基づいて、端末装置１はリモート制御の対象とする映像表示装置３を選択する。図５（ｂ）は、リモート制御の対象として選択可能な映像表示装置３が２台ある場合の選択画面の表示例である。ここでは、「テレビＡ」が選択されるものとする。
【００４４】
リモート制御の対象となる映像表示装置３が選択されると、端末装置１は映像表示装置３に対して送信可能な各種指示を表示する。図５（ｃ）は、その際の映像表示装置３の操作画面の表示例である。
【００４５】
次に、ステップＳ４０３において、端末装置１はユーザが操作アプリを終了するための操作をしたかどうかを確認する。端末装置１に表示された「終了」ボタンが押される等の操作アプリを終了するための操作がされた場合、端末装置１はメニュー画面を表示する工程に戻る。
【００４６】
ステップＳ４０４において、端末装置１はユーザによって電源ボタンが押されたかどうかを確認する。端末装置１に表示された「電源」ボタンが押された場合、端末装置１は、電源コマンドと識別コードを映像表示装置３に送信し（ステップＳ４０５）、ステップＳ４０３からの工程を繰り返す。
【００４７】
端末装置１に表示された「電源」ボタンが押されていない場合、ステップＳ４０６において、端末装置１はユーザによりリモート制御機能のチャンネル設定ボタンが押されたかどうかを確認する。端末装置１に表示された「１」「２」ボタン等のチャンネル設定ボタンが押された場合、ステップＳ４０７に進み、当該チャンネルを記憶部２５に記憶する。
【００４８】
例えば、「１」が押された場合は、記憶部２５には「１」を記憶する。しかし、その次に「Ｃｈ＋」が押された場合は、記憶部２５には「２」を記憶する。このように、設定コマンドが「Ｃｈ＋」「Ｃｈ−」のように相対値指定の場合は、「２」のような絶対値に置き換えて記憶しておく。
【００４９】
次に、ステップＳ４０８において、該当するチャンネルの選択コマンドと識別コードを映像表示装置３に送信し、ステップＳ４０３からの工程を繰り返す。
【００５０】
端末装置１に表示されたチャンネル設定ボタンが押されていない場合、ステップＳ４０９において、端末装置１はその他のボタンが押されたかどうかを確認する。その他のボタンとは、例えば音量の設定ボタンなどである。
【００５１】
ユーザ映像表示装置３の設定変更を指示した場合、端末装置１は、映像表示装置３に該当する設定コマンドと識別コードを送信し（ステップＳ４１０）、ステップＳ４０３からの工程を繰り返す。
【００５２】
端末装置１に表示されたその他のボタンが押されていない場合、ステップＳ４１１において、端末装置１はステータス情報としてチャンネル切り換え通知を受信したかどうかを確認する。
【００５３】
チャンネル切り換え通知を受信した場合、端末装置１は、記憶部２５に記憶したチャンネルをテレビ信号受信部３１に設定し、受信した映像を表示部２２に表示して音声を音声出力部２３から出力し（ステップＳ４１２）、ステップＳ４０３からの工程を繰り返す。
【００５４】
チャンネル切り換え通知は映像表示装置３から送信される。例えば、映像表示装置３の電源を入れた端末装置１ａとは別の端末装置１ｂによるチャンネル切り換えが発生した時、映像表示装置３はステータス情報として端末装置１ａにチャンネル切り換え通知を送信する。
【００５５】
チャンネル切り換え通知を受信していない場合、端末装置１は、ステップＳ４０３からの工程を繰り返す。
【００５６】
図６は、本発明の第１の実施例の映像表示装置の処理を示すフローチャートである。このフローチャートは、映像表示装置３が端末装置１にリモート制御される際の処理を示している。
【００５７】
ステップＳ６０１において、映像表示装置３は電源コマンドの受信を待つ。電源コマンドを受信したらステップＳ６０２に進み、映像表示装置３の電源を入れる。そして、ステップＳ６０３において、電源コマンドを受信した際の識別コードを記憶部３５に記憶しておく。ここでは端末装置１ａの識別コードを受信したものとする。
【００５８】
次に、ステップＳ６０４において、映像表示装置３は再び電源コマンドを受信したかどうかを確認する。電源コマンドを受信した場合はステップＳ６０５に進み、映像表示装置３の電源を切って処理を終了する。
【００５９】
なお、本実施例では映像表示装置３が電源コマンドを受信する毎に電源オンオフを繰り返す、トグル制御を例として示しているが、電源オンと電源オフのコマンドを分離してもよい。
【００６０】
ステップＳ６０４において、映像表示装置３が電源コマンドを受信していない場合はステップＳ６０６に進み、チャンネル設定コマンドを受信したかどうかを確認する。チャンネル設定コマンドを受信した場合はステップＳ６０７に進み、指示通りコマンドを実行する。
【００６１】
次に、ステップＳ６０８において、チャンネル設定コマンドを受信した際の識別コードが記憶部３５に記憶された識別コードと一致するかどうかを確認する。一致する場合は、映像表示装置３は、ステップＳ６０４からの工程を繰り返す。
【００６２】
一致しない場合は、映像表示装置３は、記憶部３５に記憶された識別コードに該当する端末装置１ａにステータス情報としてチャンネル切り換え通知を送信し（ステップＳ６０９）、ステップＳ６０４からの工程を繰り返す。
【００６３】
また、ステップＳ６０６において、映像表示装置３がチャンネル設定コマンドを受信していない場合はステップＳ６１０に進み、その他のコマンドを受信したかどうかを確認する。その他のコマンドを受信した場合は、映像表示装置３は、指示通りコマンドを実行し（ステップＳ６１１）、ステップＳ６０４からの工程を繰り返す。その他のコマンドとは、例えば音量設定コマンドなどである。
【００６４】
その他のコマンドを受信していない場合は、ステップＳ６０４からの工程を繰り返す。
【００６５】
このようにして、例えば端末装置１ａがリモート制御で映像表示装置３の電源を入れると、映像表示装置３の電源が入る。
【００６６】
次に、端末装置１ａがリモート制御で映像表示装置３のチャンネル切り換えを行うと、指示通り映像表示装置３のチャンネルが切り換わる。別の端末装置１ｂがリモート制御で映像表示装置３のチャンネル切り換えを行うと、指示通り映像表示装置３のチャンネルが切り換わり、端末装置１ａに対してステータス情報としてチャンネル切り換え通知を送信する。
【００６７】
チャンネル切り換え通知を受信すると、端末装置１ａは、端末装置１ｂに切り換えられる前のチャンネルの映像を表示部２２に表示して音声を音声出力部２３から出力する。
【００６８】
なお、映像の表示と音声の出力を開始する前に、ユーザに開始許可を求めても良い。図５（ｄ）は、この時の端末装置１の画面の表示例である。あるいは、開始してから、ユーザに続行許可を求めても良い。
【００６９】
以上の構成により本発明の第１の実施例では、端末装置からのリモート制御により設定した映像表示装置のチャンネルが別の端末装置により切り換えられた場合は、切り換えられる前に映像表示装置に表示していたコンテンツを端末装置に表示する。ユーザが設定したチャンネルが別のユーザにより切り換えられても、ユーザが特に操作することなく手元の端末装置により視聴できるため、当該コンテンツの見逃しを防止できる。
【実施例２】
【００７０】
図７は、本発明の第２の実施例の映像表示装置の処理を示すフローチャートである。
【００７１】
ステップＳ７０１〜ステップＳ７０７については図６のステップＳ６０１〜ステップＳ６０７と同様であるため説明を省略する。
【００７２】
ステップＳ７０８において、チャンネル設定コマンドを受信した際の識別コードが記憶部３５に記憶された識別コードと一致するかどうかを確認する。一致する場合は、映像表示装置３は、ステップＳ７０４からの工程を繰り返す。
【００７３】
一致しない場合は、映像表示装置３は、記憶部３５に記憶された識別コードに該当する端末装置１ａにステータス情報としてチャンネル切り換え通知を送信する（ステップＳ７０９）。次に、チャンネル設定コマンドを受信した際の識別コードを記憶部３５に記憶し（ステップＳ７１２）、ステップＳ７０４からの工程を繰り返す。ここでは端末装置１ｂの識別コードを受信したものとする。
【００７４】
ステップＳ７１０〜ステップＳ７１１については図６のステップＳ６１０〜ステップＳ６１１と同様であるため説明を省略する。
【００７５】
このようにして、例えば端末装置１ａがリモート制御で映像表示装置３の電源を入れると、映像表示装置３の電源が入る。
【００７６】
次に、端末装置１ａがリモート制御で映像表示装置３のチャンネル切り換えを行うと、指示通り映像表示装置３のチャンネルが切り換わる。別の端末装置１ｂがリモート制御で映像表示装置３のチャンネル切り換えを行うと、指示通り映像表示装置３のチャンネルが切り換わり、端末装置１ａに対してステータス情報としてチャンネル切り換え通知を送信する。
【００７７】
チャンネル切り換え通知を受信すると、端末装置１ａは、端末装置１ｂに切り換えられる前のチャンネルの映像を表示部２２に表示して音声を音声出力部２３から出力する。
【００７８】
更に、端末装置１ｃがリモート制御で映像表示装置３のチャンネル切り換えを行うと、指示通り映像表示装置３のチャンネルが切り換わり、端末装置１ｂに対してステータス情報としてチャンネル切り換え通知を送信する。
【００７９】
チャンネル切り換え通知を受信すると、端末装置１ｂは、端末装置１ｃに切り換えられる前のチャンネルの映像を表示部２２に表示して音声を音声出力部２３から出力する。
【００８０】
以上の構成により本発明の第２の実施例では、第１の実施例と同様の効果を得ることができる。
【００８１】
そして、端末装置からのリモート制御により設定した映像表示装置のチャンネルが別の端末装置により切り換えられ、更に別の端末装置により切り換えられた場合は、切り換えられる前に映像表示装置に表示していたコンテンツを各々の端末装置に表示する。ユーザが設定したチャンネルが別のユーザにより切り換えられても、ユーザが特に操作することなく手元の端末装置により視聴できるため、当該コンテンツの見逃しを防止できる。
【実施例３】
【００８２】
図８は、本発明の第３の実施例の端末装置１の処理を示すフローチャートである。このフローチャートは、端末装置１が映像表示装置３をリモート制御する際の処理を示している。
【００８３】
ステップＳ８０１〜ステップＳ８１０については図４のステップＳ４０１〜ステップＳ４１０と同様であるため説明を省略する。
【００８４】
ステップＳ８１１において、端末装置１はステータス情報としてチャンネル切り換え通知を受信したかどうかを確認する。
【００８５】
チャンネル切り換え通知を受信した場合、端末装置１は、ユーザがそれまで映像表示装置３にて視聴していたチャンネルの映像を映像表示装置３の記憶部３５に録画することを表示部２２に表示し（ステップＳ８１２）、ステップＳ８０３からの工程を繰り返す。図１３（ａ）は、端末装置１の画面の表示例である。
【００８６】
チャンネル切り換え通知は映像表示装置３から送信される。例えば、映像表示装置３の電源を入れた端末装置１とは別の端末装置１によるチャンネル切り換えが発生した時、映像表示装置３はステータス情報としてチャンネル切り換え通知を送信する。
【００８７】
チャンネル切り換え通知を受信していない場合、端末装置１は、ステップＳ８０３からの工程を繰り返す。
【００８８】
図９は、本発明の第３の実施例の映像表示装置の処理を示すフローチャートである。このフローチャートは、映像表示装置３が端末装置１にリモート制御される際の処理を示している。
【００８９】
ステップＳ９０１〜ステップＳ９０７については図６のステップＳ６０１〜ステップＳ６０７と同様であるため説明を省略する。
【００９０】
ステップＳ９０８において、チャンネル設定コマンドを受信した際の識別コードが記憶部３５に記憶された識別コードと一致するかどうかを確認する。一致する場合は、映像表示装置３は、ステップＳ９０４からの工程を繰り返す。
【００９１】
一致しない場合は、映像表示装置３は、記憶部３５に記憶された識別コードに該当する端末装置１ａにステータス情報としてチャンネル切り換え通知を送信する（ステップＳ９０９）。次に、ステップＳ９１２において、チャンネル設定コマンドを受信した際の識別コードとチャンネルを記憶部３５に記憶する。ここでは端末装置１ｂの識別コードを受信したものとする。次に、切り換え前のチャンネルをテレビ信号受信部３１に設定し、受信した映像と音声を記憶部３５に記録し（ステップＳ９１３）、ステップＳ９０４からの工程を繰り返す。
【００９２】
テレビ信号受信部３１は複数のチャンネルを設定することにより、複数のチャンネルを同時に受信可能である。記憶部３５に記憶したチャンネルをテレビ信号受信部３１に設定する際には、表示部３２に表示しているチャンネルの設定はそのままにしておく。
【００９３】
ステップＳ９１０〜ステップＳ９１１については図６のステップＳ６１０〜ステップＳ６１１と同様であるため説明を省略する。
【００９４】
このようにして、例えば端末装置１ａがリモート制御で映像表示装置３の電源を入れると、映像表示装置３の電源が入る。
【００９５】
次に、端末装置１ａがリモート制御で映像表示装置３のチャンネル切り換えを行うと、指示通り映像表示装置３のチャンネルが切り換わる。別の端末装置１ｂがリモート制御で映像表示装置３のチャンネル切り換えを行うと、指示通り映像表示装置３のチャンネルが切り換わり、端末装置１ａに対してステータス情報としてチャンネル切り換え通知を送信する。
【００９６】
更に、映像表示装置３は端末装置１ｂに切り換えられる前のチャンネルのコンテンツを記憶部３５に録画する。
【００９７】
なお、コンテンツの録画を開始する前に、ユーザに開始許可を求めても良い。図１３（ｂ）は、この時の端末装置１の画面の表示例である。あるいは、開始してから、ユーザに続行許可を求めても良い。
【００９８】
以上の構成により本発明の第３の実施例では、第１の実施例と同様の効果を得ることができる。
【００９９】
更に、端末装置からのリモート制御により設定した映像表示装置のチャンネルが別の端末装置により切り換えられた場合は、切り換えられる前に映像表示装置に表示していたコンテンツを映像表示装置に録画する。ユーザが設定したチャンネルが別のユーザにより切り換えられても、ユーザが特に操作することなく映像表示装置に録画できるため、当該コンテンツの見逃しを防止できる。
【実施例４】
【０１００】
図１０は、本発明の第４の実施例の端末装置の動作を示すフローチャートである。このフローチャートは、端末装置１が映像表示装置３をリモート制御する際の処理を示している。
【０１０１】
ステップＳ１００１〜ステップＳ１０１０については図４のステップＳ４０１〜ステップＳ４１０と同様であるため説明を省略する。
【０１０２】
ステップＳ１０１１において、端末装置１はチャンネル切り換え通知を受信したかどうかを確認する。
【０１０３】
チャンネル切り換え通知を受信した場合、端末装置１は、記憶部２５に記憶したチャンネルをテレビ信号受信部２１に設定し、受信したコンテンツを記憶部２５に録画し（ステップＳ１０１２）、ステップＳ１００３からの工程を繰り返す。
【０１０４】
チャンネル切り換え通知は映像表示装置３から送信される。例えば、映像表示装置３の電源を入れた端末装置１とは別の端末装置１によるチャンネル切り換えが発生した時、映像表示装置３はステータス情報としてチャンネル切り換え通知を送信する。
【０１０５】
チャンネル切り換え通知を受信していない場合、端末装置１は、ステップＳ１００３からの工程を繰り返す。
【０１０６】
このようにして、例えば端末装置１ａがリモート制御で映像表示装置３の電源を入れると、映像表示装置３の電源が入る。
【０１０７】
次に、端末装置１ａがリモート制御で映像表示装置３のチャンネル切り換えを行うと、指示通り映像表示装置３のチャンネルが切り換わる。別の端末装置１ｂがリモート制御で映像表示装置３のチャンネル切り換えを行うと、指示通り映像表示装置３のチャンネルが切り換わり、端末装置１ａに対してステータス情報としてチャンネル切り換え通知を送信する。
【０１０８】
端末装置１ａは端末装置１ｂに切り換えられる前のチャンネルのコンテンツを記憶部２５に録画する。
【０１０９】
なお、コンテンツの録画を開始する前に、ユーザに開始許可を求めても良い。あるいは、開始してから、ユーザに続行許可を求めても良い。
【０１１０】
以上の構成により本発明の第４の実施例では、第１の実施例と同様の効果を得ることができる。
【０１１１】
更に、端末装置からのリモート制御により設定した映像表示装置のチャンネルが別の端末装置により切り換えられた場合は、切り換えられる前に映像表示装置に表示していたコンテンツを端末装置に録画する。ユーザが設定したチャンネルが別のユーザにより切り換えられても、ユーザが特に操作することなく端末装置に録画できるため、当該コンテンツの見逃しを防止できる。
【実施例５】
【０１１２】
図１１は、本発明の第５の実施例の映像表示システムの構成を示す図である。本実施例の映像表示システムは、複数の端末装置１と映像表示装置３とを含む。
【０１１３】
端末装置１、リモコン２、映像表示装置３、放送局５、無線ルータ６、ネットワーク７については図１と同様であるため説明を省略する。
【０１１４】
ＶＯＤ（Ｖｉｄｅｏ  Ｏｎ  Ｄｅｍａｎｄ）サーバ８は放送局５から放送したコンテンツと同等のコンテンツを蓄積し、ネットワーク７を介して端末装置１や映像表示装置３に配信する。
【０１１５】
図１２は、本発明の第５の実施例の端末装置の動作を示すフローチャートである。このフローチャートは、端末装置１が映像表示装置３をリモート制御する際の処理を示している。
【０１１６】
ステップＳ１２０１〜ステップＳ１２０６については図４のステップＳ４０１〜ステップＳ４０６と同様であるため説明を省略する。
【０１１７】
ステップＳ１２０７において、端末装置１は当該チャンネルのコンテンツ情報を記憶部２５に記憶する。
【０１１８】
ステップＳ１２０８〜ステップＳ１２１０については図４のステップＳ４０８〜ステップＳ４１０と同様であるため説明を省略する。
【０１１９】
ステップＳ１２１１において、端末装置１はステータス情報としてチャンネル切り換え通知を受信したかどうかを確認する。
【０１２０】
チャンネル切り換え通知を受信した場合、端末装置１は、記憶部２５に記憶したコンテンツ情報によりＶＯＤサーバ８内のコンテンツを検索する（ステップＳ１２１２）。
【０１２１】
次に、ステップＳ１２１３において、端末装置１は、ＶＯＤ再生モードとなり、ＶＯＤ再生モードを終了したらステップＳ１２０３からの工程を繰り返す。図１３（ｃ）は、ＶＯＤ再生モードの端末装置１の操作画面の表示例である。再生、早送り、巻戻しの他、例えば、チャンネルを切り換えられた時間を記憶しておけば切り換えられた個所から視聴することができる。また、最初から視聴したり、あとで視聴することもできる。
【０１２２】
チャンネル切り換え通知は映像表示装置３から送信される。例えば、映像表示装置３のチャンネルを切り換えた端末装置１とは別の端末装置１によるチャンネル切り換えが発生した時、映像表示装置３はステータス情報としてチャンネル切り換え通知を送信する。
【０１２３】
チャンネル切り換え通知を受信していない場合、端末装置１は、ステップＳ１２０３からの工程を繰り返す。
【０１２４】
このようにして、例えば端末装置１ａがリモート制御で映像表示装置３の電源を入れると、映像表示装置３の電源が入る。
【０１２５】
次に、端末装置１ａがリモート制御で映像表示装置３のチャンネル切り換えを行うと、指示通り映像表示装置３のチャンネルが切り換わる。別の端末装置１ｂがリモート制御で映像表示装置３のチャンネル切り換えを行うと、指示通り映像表示装置３のチャンネルが切り換わり、端末装置１ａに対してステータス情報としてチャンネル切り換え通知を送信する。
【０１２６】
チャンネル切り換え通知を受信すると、端末装置１ａは端末装置１ｂに切り換えられる前のチャンネルのコンテンツをＶＯＤから検索する。
【０１２７】
なお、コンテンツを検索して表示する前に、ユーザに許可を求めても良い。図１３（ｄ）は、この時の端末装置１の画面の表示例である。例えば画面に表示された「はい」ボタンが押され場合のみ、端末装置１はＶＯＤ再生モードになるようにすれば良い。
【０１２８】
以上の構成により本発明の第４の実施例では、第１の実施例と同様の効果を得ることができる。
【０１２９】
更に、端末装置からのリモート制御により設定した映像表示装置のチャンネルが別の端末装置により切り換えられた場合は、切り換えられる前に映像表示装置に表示していたコンテンツをＶＯＤから検索し、端末装置に表示することができる。ユーザが設定したチャンネルが別のユーザにより切り換えられても、ユーザが特に操作することなくＶＯＤを検索し、手元の端末装置により視聴できるため、当該コンテンツの見逃しを防止できる。
【実施例６】
【０１３０】
図１４は、本発明の第６の実施例の映像表示装置の処理を示すフローチャートである。このフローチャートは、映像表示装置３が端末装置１にリモート制御される際の処理を示している。
【０１３１】
ステップＳ１４０１〜ステップＳ１４０７については、図６のステップＳ６０１〜ステップＳ６０７と同様であるため説明を省略する。
【０１３２】
ステップＳ１４０８〜ステップＳ１４０９については、図９のステップＳ９０８〜ステップＳ９０９と同様であるため説明を省略する。
ステップＳ１４１２〜ステップＳ１４１３については、図９のステップＳ９１２〜ステップＳ９１３と同様であるため説明を省略する。
【０１３３】
ステップＳ１４１０では、その他のコマンドを受信したかどうかを確認する。その他のコマンドを受信した場合は、ステップ１４１１に進み、受信していない場合は、ステップＳ１４１４に進む。ステップＳ１４１１については図６のステップＳ６１１と同様であるため説明を省略する。
【０１３４】
ステップＳ１４１４では、チャンネル切り換え後のコンテンツが終了したかどうかを確認する。チャンネル切り換え後のコンテンツが終了した場合はステップＳ１４１５に進み、映像表示装置３は、録画したコンテンツを再生する。チャンネル切り換え後のコンテンツが終了していない場合は、映像表示装置３は、ステップＳ１４０４からの工程を繰り返す。
【０１３５】
このようにして、例えば端末装置１ａがリモート制御で映像表示装置３の電源を入れると、映像表示装置３の電源が入る。
【０１３６】
次に、端末装置１ａがリモート制御で映像表示装置３のチャンネル切り換えを行うと、指示通り映像表示装置３のチャンネルが切り換わる。別の端末装置１ｂがリモート制御で映像表示装置３のチャンネル切り換えを行うと、指示通り映像表示装置３のチャンネルが切り換わり、端末装置１ａに対してステータス情報としてチャンネル切り換え通知を送信する。
【０１３７】
更に、映像表示装置３は端末装置１ｂに切り換えられる前のチャンネルのコンテンツを記憶部３５に録画し、チャンネル切り換え後のコンテンツが終了したら再生する。
【０１３８】
以上の構成により本発明の第６の実施例では、第１の実施例と同様の効果を得ることができる。
【０１３９】
更に、端末装置からのリモート制御により設定した映像表示装置のチャンネルが別の端末装置により切り換えられた場合は、切り換えられる前に映像表示装置に表示していたコンテンツを映像表示装置に録画し、チャンネル切り換え後のコンテンツが終了したら再生する。ユーザが設定したチャンネルが別のユーザにより切り換えられても、ユーザが特に操作することなく映像表示装置に録画して再生するため、当該コンテンツの見逃しを防止できる。
【実施例７】
【０１４０】
図１５は、映像表示装置３のリモート制御を行う際の端末装置１の動作を示すフローチャートである。
【０１４１】
ステップＳ１５０１において、端末装置１は、ユーザの操作に基づき、映像表示装置３のリモート制御を行うためのアプリケーションソフトウェア（以降、「操作アプリ」）の起動を待つ。
【０１４２】
図５、図２３は、端末装置１のタッチパネル式の表示部２２の各種表示例である。図５（ａ）は、端末装置１に各種アプリケーションソフトウェアが並んだメニュー画面を示しており、タッチパネルに表示された「テレビ」ボタンがユーザによって押されると操作アプリが起動する。
【０１４３】
ステップＳ１５０２において、ユーザの操作に基づいて、端末装置１はリモート制御の対象とする映像表示装置３を選択する。図５（ｂ）は、リモート制御の対象として選択可能な映像表示装置３が２台ある場合の選択画面の表示例である。ここでは、「テレビＡ」が選択されるものとする。
【０１４４】
リモート制御の対象となる映像表示装置３を選択すると、端末装置１は映像表示装置３に対して送信可能な各種指示を表示する。図２３は、その際の映像表示装置３の操作画面の表示例である。
【０１４５】
次に、ステップＳ１５０３において、端末装置１はユーザが操作アプリを終了するための操作をしたかどうかを確認する。ユーザが端末装置１に表示された「終了」ボタンを押す等の操作アプリを終了するための操作をした場合、端末装置１はメニュー画面を表示する工程に戻る。
【０１４６】
ステップＳ１５０４において、端末装置１はユーザが電源ボタンを押したかどうかを確認する。ユーザが端末装置１に表示された「電源」ボタンを押した場合、端末装置１は、電源コマンドを映像表示装置３に送信し（ステップＳ１５０５）、ステップＳ１５０３からの工程を繰り返す。
【０１４７】
ユーザが端末装置１に表示された「電源」ボタンを押していない場合、ステップＳ１５０６において、端末装置１はユーザが見逃し防止モードボタンを押したかどうかを確認する。ユーザが端末装置１に表示された「見逃し防止」モードボタンを押した場合、端末装置１は、見逃し防止モードのオンとオフを切り換える（ステップＳ１５０７）。見逃し防止モードがオンであれば、ステップＳ１５０８において見逃し防止モードをオフし、オフであれば、ステップＳ１５０９において見逃し防止モードをオンする。そして、ステップＳ１５０３からの工程を繰り返す。
【０１４８】
見逃し防止モードとは、例えばＣＭ（Ｃｏｍｍｅｒｃｉａｌ  Ｍｅｓｓａｇｅ、以降「コマーシャル」）のようなテレビ番組に付随する広告手段や番組のお知らせのような告知手段の映像の終了後の元のチャンネルのテレビ番組の見逃しを防止するものであり、前記広告手段や告知手段の映像の開始後にユーザがチャンネルを切り換えても、この映像の終了のタイミングに応じて元のチャンネルに切り換わるものである。これにより例えばユーザがチャンネルＡのテレビ番組を視聴していて、テレビ番組がコマーシャルに切り換わった後に、ユーザがチャンネルＢやチャンネルＣに切り換えたとしても、チャンネルＡのコマーシャルが終了してテレビ番組に切り換わるタイミングに応じて、映像表示装置３の表示がチャンネルＡに切り換わる。
【０１４９】
ユーザが端末装置１に表示された「見逃し防止」モードボタンを押していない場合、ステップＳ１５１０において、端末装置１はユーザがリモート制御機能のチャンネル選択ボタンを押したかどうかを確認する。ユーザが端末装置１に表示された「１」「２」ボタン等のチャンネル選択ボタンを押した場合、ステップＳ１５１１に進み、該当するチャンネルの選択コマンドを映像表示装置３に送信し、ステップＳ１５０３からの工程を繰り返す。
【０１５０】
ユーザが端末装置１に表示されたチャンネル選択ボタンを押していない場合、ステップＳ１５１２において、端末装置１はユーザがその他のボタンを押したかどうかを確認する。その他の設定変更とは、例えば音量の切り換えなどである。
【０１５１】
ユーザが映像表示装置３の設定変更を指示した場合、端末装置１は、映像表示装置３に該当する設定コマンドを送信し（ステップＳ１５１３）、ステップＳ１５０３からの工程を繰り返す。
【０１５２】
図１６は、端末装置１の見逃し防止処理を示すフローチャートである。
【０１５３】
ステップＳ１６００において、端末装置１の見逃し防止モードがオンの場合は、ステップＳ１６０１に進み、オフの場合は処理を終了する。
【０１５４】
ステップＳ１６０１において、端末装置１は、ユーザがチャンネル変更せず、かつコマーシャル切り換えがなく一定時間、例えば５分間経過するのを待ち、ステップＳ１６０２において、そのチャンネルを記憶部２５に記憶しておく。ここで、コマーシャル切り換えとはテレビ番組からコマーシャル、あるいはコマーシャルからテレビ番組への切り換わりを指す。一般にテレビ番組とコマーシャルの間には音声が無音の部分があり、テレビジョン信号をテレビ信号受信部２１で受信し、音声が無音時のシーンチェンジを検出することにより、コマーシャル切り換えのタイミングを検出することができる。
【０１５５】
次に、ステップＳ１６０３において、記憶部２５に記憶したチャンネルのテレビジョン信号をテレビ信号受信部２１で受信し、コマーシャル切り換え発生を待つ。コマーシャル切り換え発生を待つ間にユーザがリモート制御機能のチャンネル選択ボタンを押した場合は（ステップＳ１６０４）、端末装置１は、該当するチャンネルの選択コマンドを映像表示装置３に送信し（ステップＳ１６０５）、ステップＳ１６０１からの工程を繰り返す。
【０１５６】
ステップＳ１６０１〜Ｓ１６０５により、ユーザがチャンネル変更せずに一定時間経過した後のコマーシャル切り換えを検出し、コマーシャル開始タイミングと判定する（ステップＳ１６０６）。
【０１５７】
次に、ステップＳ１６０７において、記憶部２５に記憶したチャンネルのテレビジョン信号をテレビ信号受信部２１で受信し、コマーシャル切り換え発生を待つ。コマーシャル切り換え発生を待つ間にユーザがリモート制御機能のチャンネル選択ボタンを押した場合は（ステップＳ１６０８）、端末装置１は、該当するチャンネルの選択コマンドを映像表示装置３に送信する（ステップＳ１６０９）。
【０１５８】
なお、ステップＳ１６０９にて映像表示装置３のチャンネルを切り換えた場合も、ステップＳ１６０７では記憶部２５に記憶したチャンネルのコマーシャル切り換え発生を待つ。
【０１５９】
ステップＳ１６０７〜Ｓ１６０９により、コマーシャル開始後のコマーシャル切り換えを検出し、コマーシャル終了タイミングと判定する（ステップＳ１６１０）。
【０１６０】
次に、ステップＳ１６１１において、記憶部２５に記憶したチャンネルの選択コマンドを映像表示装置３に送信し、ステップＳ１６００からの工程を繰り返す。ステップＳ１６０８においてリモート制御機能のチャンネル選択ボタンが押されなかった場合は、記憶部２５に記憶したチャンネルの選択コマンドを映像表示装置３に送信しなくてもよい。
【０１６１】
図１７は、映像表示装置３の動作を示すフローチャートである。
【０１６２】
ステップＳ１７０１において、映像表示装置３は電源コマンドの受信を待つ。電源コマンドを受信したら、映像表示装置３は電源を入れる（ステップＳ１７０２）。
【０１６３】
次に、ステップＳ１７０３において、映像表示装置３は再び電源コマンドを受信したかどうかを確認する。電源コマンドを受信した場合、映像表示装置３は電源を切る（ステップＳ１７０４）。電源コマンドを受信していない場合、ステップＳ１７０５において、映像表示装置３はチャンネル選択コマンドを受信したかどうかを確認する。チャンネル選択コマンドを受信した場合、映像表示装置３は、指示通りチャンネル選択コマンド実行し（ステップＳ１７０６）、ステップＳ１７０３からの工程を繰り返す。
【０１６４】
チャンネル選択コマンドを受信していない場合、ステップＳ１７０７において、映像表示装置３はその他のコマンドを受信したかどうかを確認する。その他のコマンドを受信した場合、映像表示装置３は、指示通りコマンド実行し（ステップＳ１７０８）、ステップＳ１７０３からの工程を繰り返す。
【０１６５】
以上の構成により本発明の第７の実施例では、端末装置１は、ユーザが一定時間チャンネル変更しない時のチャンネルを記憶しておき、コマーシャル終了タイミングに応じて当該チャンネルの選択コマンドを映像表示装置３に送信する。
【０１６６】
コマーシャル中にユーザがチャンネルを切り換えてもコマーシャル終了時に切り換え前のチャンネルに戻るため、ユーザが視聴していたチャンネルのテレビ番組の見逃しを防ぐことができる。
【０１６７】
なお、端末装置１ではなく映像表示装置３が一定時間チャンネル変更されない時のチャンネルを記憶しておき、映像表示装置３が自らコマーシャル終了タイミングを検出して当該チャンネルに切り換えてもよい。
【０１６８】
また、端末装置１あるいは映像表示装置３がコマーシャル終了タイミングに応じてチャンネルを切り換える代わりに、ユーザに映像や音声でコマーシャル終了を通知し、ユーザが自ら端末装置１を操作してチャンネルを切り換えてもよい。
【実施例８】
【０１６９】
次に、本発明の第８の実施例について説明する。なお、本実施例における構成および効果等は、特に断りのない限り、第７の実施例と同じである。このため、以下では本実施例と第７の実施例との相違点を主に説明し、説明の重複を避けるため、共通点の説明は極力省略する。
【０１７０】
図１８は、端末装置１の見逃し防止処理を示すフローチャートである。
【０１７１】
ステップＳ１８００において、端末装置１の見逃し防止モードがオンの場合は、ステップＳ１８０１に進み、オフの場合は処理を終了する。
【０１７２】
ステップＳ１８０１において、端末装置１は、ユーザによるチャンネル変更が一定時間、例えば５分間ない時、ステップＳ１８０２において、そのチャンネルを記憶部２５に記憶しておく。
【０１７３】
次に、ステップＳ１８０３において、記憶部２５に記憶したチャンネルのテレビジョン信号をテレビ信号受信部２１で受信し、コマーシャル切り換え発生を待つ。コマーシャル切り換え発生を待つ間にユーザがリモート制御機能のチャンネル選択ボタンを押した場合は（ステップＳ１８０４）、端末装置１は、該当するチャンネルの選択コマンドを映像表示装置３に送信し（ステップＳ１８０５）、ステップＳ１８０１からの工程を繰り返す。
【０１７４】
ステップＳ１８０１〜Ｓ１８０５により、ユーザがチャンネルを変更せずに一定時間経過した後のコマーシャル切り換えを検出し、コマーシャル開始あるいは終了タイミングと判定する（ステップＳ１８０６）。
【０１７５】
次に、ステップＳ１８０７において、記憶部２５に記憶したチャンネルの選択コマンドを映像表示装置３に送信し、ステップＳ１８００からの工程を繰り返す。
【０１７６】
以上の構成により本発明の第８の実施例では、第７の実施例と同様の効果を得ることができる。
【０１７７】
更に、ユーザが一定時間チャンネル変更しない時のチャンネルを記憶しておき、コマーシャル開始と終了のタイミングで当該チャンネルの選択コマンドを映像表示装置３に送信するため、コマーシャル開始と終了を判別する必要がなく、見逃し防止処理を簡略化することができる。
【０１７８】
なお、端末装置１ではなく映像表示装置３が一定時間チャンネル変更されない時のチャンネルを記憶しておき、映像表示装置３が自らコマーシャル開始と終了のタイミングで当該チャンネルに切り換えてもよい。
【０１７９】
また、端末装置１あるいは映像表示装置３がコマーシャル開始と終了タイミングでチャンネルを切り換える代わりに、ユーザに映像や音声でコマーシャル開始と終了を通知し、ユーザが自ら端末装置１を操作してチャンネルを切り換えてもよい。
【実施例９】
【０１８０】
次に、本発明の第９の実施例について説明する。なお、本実施例における構成および効果等も、特に断りのない限り、第７の実施例と同じであるため、以下では本実施例と第７の実施例との相違点を主に説明する。
【０１８１】
図１９は、端末装置１の見逃し防止処理を示すフローチャートである。
【０１８２】
ステップＳ１９００において、端末装置１の見逃し防止モードがオンの場合は、ステップＳ１９０１に進み、オフの場合は処理を終了する。
【０１８３】
ステップＳ１９０１〜ステップＳ１９０５については、図１６のステップＳ１６０１〜ステップＳ１６０５と同様であるため説明を省略する。ステップＳ１９０１〜Ｓ１９０５により、ユーザがチャンネル変更せずに一定時間経過した後のコマーシャル切り換えを検出し、コマーシャル開始タイミングと判定する（ステップＳ１９０６）。
【０１８４】
次に、ステップＳ１９０７において、記憶部２５に記憶したチャンネルのテレビジョン信号をテレビ信号受信部２１で受信し、コマーシャル切り換え発生を待つ。コマーシャル切り換え発生を待つ間にユーザがリモート制御機能のチャンネル選択ボタンを押した場合は（ステップＳ１９０８）、端末装置１は、２画面表示開始コマンドを映像表示装置３に送信し（ステップＳ１９０９）、追加した画面に対して、該当するチャンネルの選択コマンドを映像表示装置３に送信する（ステップＳ１９１０）。コマーシャル切り換え発生を待つ間にユーザが再度リモート制御機能のチャンネル選択ボタンを押した際には、ステップＳ１９０９にて２画面表示開始コマンドを送信しなくてもよい。
【０１８５】
なお、ステップＳ１９０９にて映像表示装置３のチャンネルを切り換えた場合も、ステップＳ１９０７では記憶部２５に記憶したチャンネルのコマーシャル切り換え発生を待つ。
【０１８６】
ステップＳ１９０７〜Ｓ１９１０により、コマーシャル開始後のコマーシャル切り換えを検出し、コマーシャル終了タイミングと判定する（ステップＳ１９１１）。
【０１８７】
次に、ステップＳ１９１２において、端末装置１は、２画面表示終了コマンドを映像表示装置３に送信し、ステップＳ１９００からの工程を繰り返す。２画面表示を終了する際には後から追加した画面の方を消去する。２画面表示に切り換えなかった場合は２画面表示終了コマンドを送信しなくてもよい。
【０１８８】
以上の構成により本発明の第９の実施例では、第７の実施例と同様の効果を得ることができる。
【０１８９】
更に、端末装置１は、ユーザが一定時間チャンネル変更しない時のチャンネルを記憶しておき、コマーシャル中にチャンネルの選択ボタンが押された時、映像表示装置３を２画面表示に切り換え、追加した画面に前記チャンネルを表示する。そして、コマーシャル終了タイミングに応じて２画面表示を終了する。
【０１９０】
チャンネルを切り換えた際に２画面表示で元のチャンネルの映像も確認できるため、ユーザはテレビ番組の見逃しの不安を気にせずに、安心してチャンネルを切り換えることができる。
【０１９１】
なお、端末装置１ではなく映像表示装置３が一定時間チャンネル変更されない時のチャンネルを記憶しておき、映像表示装置３が自ら２画面表示の開始と終了を行ってもよい。
【０１９２】
また、２画面表示によりユーザは元のチャンネルの映像も切り換えたチャンネルの映像も確認できるため、コマーシャル終了タイミングに応じて端末装置１が２画面表示を終了させる代わりに、ユーザが自ら端末装置１を操作して２画面表示を終了させてもよい。
【実施例１０】
【０１９３】
次に、本発明の第１０の実施例について説明する。なお、本実施例における構成および効果等も、特に断りのない限り、第７の実施例と同じであるため、以下では本実施例と第７の実施例との相違点を主に説明する。
【０１９４】
図２０は、端末装置１の見逃し防止処理を示すフローチャートである。
【０１９５】
ステップＳ２０００において、端末装置１の見逃し防止モードがオンの場合は、ステップＳ２００１に進み、オフの場合は処理を終了する。
【０１９６】
ステップＳ２００１〜ステップＳ２００５については、図１６のステップＳ１６０１〜ステップＳ１６０５と同様であるため説明を省略する。ステップＳ２００１〜Ｓ２００５により、ユーザがチャンネル変更せずに一定時間経過した後のコマーシャル切り換えを検出し、コマーシャル開始タイミングと判定する（ステップＳ２００６）。
【０１９７】
次に、ステップＳ２００７において、記憶部２５に記憶したチャンネルのテレビジョン信号をテレビ信号受信部２１で受信し、コマーシャル切り換え発生を待つ。コマーシャル切り換え発生を待つ間にユーザがリモート制御機能のチャンネル選択ボタンを押した場合は（ステップＳ２００８）、端末装置１は、該当するチャンネルの選択コマンドを映像表示装置３に送信し（ステップＳ２００９）、端末装置１の記憶部２５に記憶したチャンネルの映像を表示部２２に表示する（ステップＳ２０１０）。
【０１９８】
なお、ステップＳ２００９にて映像表示装置３のチャンネルを切り換えた場合も、ステップＳ２００７では記憶部２５に記憶したチャンネルのコマーシャル切り換え発生を待つ。
【０１９９】
ステップＳ２００７〜Ｓ２０１０により、コマーシャル開始タイミングと判定した後のコマーシャル切り換えを検出し、コマーシャル終了タイミングと判定する（ステップＳ２０１１）。
【０２００】
次に、ステップＳ２０１２において、記憶部２５に記憶したチャンネルの選択コマンドを映像表示装置３に送信し、ステップＳ２０００からの工程を繰り返す。
【０２０１】
以上の構成により本発明の第１０の実施例では、第７の実施例と同様の効果を得ることができる。
【０２０２】
更に、端末装置１は、ユーザが一定時間チャンネル変更しない時のチャンネルを記憶しておき、コマーシャル中にチャンネルの選択ボタンが押された時、映像表示装置３のチャンネルを切り換え、端末装置１の画面に元のチャンネルの映像を表示する。そして、コマーシャル終了タイミングに応じて映像表示装置３のチャンネルを元のチャンネルに戻す。
【０２０３】
チャンネルを切り換えた際に端末装置１で元のチャンネルの映像も確認できるため、ユーザはテレビ番組の見逃しの不安を気にせずに、安心してチャンネルを切り換えることができる。
【０２０４】
なお、端末装置１と共に映像表示装置３も一定時間チャンネル変更されない時のチャンネルを記憶しておき、映像表示装置３が自らコマーシャル終了タイミングを検出して当該チャンネルに切り換えてもよい。
【０２０５】
また、端末装置１によりユーザは元のチャンネルの映像を確認できるため、コマーシャル終了タイミングに応じて端末装置１が２画面表示を終了させる代わりに、ユーザが自ら端末装置を操作して２画面表示を終了させてもよい。
【実施例１１】
【０２０６】
次に、本発明の第１１の実施例について説明する。なお、本実施例における構成および効果等も、特に断りのない限り、第７の実施例と同じであるため、以下では本実施例と第７の実施例との相違点を主に説明する。
【０２０７】
図２１は、端末装置１の見逃し防止処理を示すフローチャートである。
【０２０８】
ステップＳ２１００において、端末装置１の見逃し防止モードがオンの場合は、ステップＳ２１０１に進み、オフの場合は処理を終了する。
【０２０９】
ステップＳ２１０１〜ステップＳ２１０５については、図１６のステップＳ１６０１〜ステップＳ１６０５と同様であるため説明を省略する。ステップＳ２１０１〜Ｓ２１０５により、ユーザがチャンネル変更せずに一定時間経過した後のコマーシャル切り換えを検出し、コマーシャル開始タイミングと判定する（ステップＳ２１０６）。
【０２１０】
ステップＳ２１０７〜ステップＳ２１０９については、図１６のステップＳ１６０７〜ステップＳ１６０９と同様であるため説明を省略する。
【０２１１】
ステップＳ２１０７〜Ｓ２１０９により、コマーシャル開始後のコマーシャル切り換えを検出し、コマーシャル終了タイミングと判定する（ステップＳ２１１０）。
【０２１２】
次に、ステップＳ２１１２において、元のチャンネルが番組終了かどうかで処理を切り換える。番組終了でなければステップＳ２１１１に進み、記憶部２５に記憶したチャンネルの選択コマンドを映像表示装置３に送信し、ステップＳ２１００からの工程を繰り返す。番組終了であればステップＳ２１１１には進まずに、ステップＳ２１００からの工程を繰り返す。
【０２１３】
以上の構成により本発明の第１１の実施例では、第７の実施例と同様の効果を得ることができる。
【０２１４】
更に、端末装置１は、番組終了時には元のチャンネルに戻さないため、ユーザが次に視聴したいチャンネルを誤って切り換えてしまうことがない。
【０２１５】
なお、端末装置１ではなく映像表示装置３が一定時間チャンネル変更されない時のチャンネルを記憶しておき、映像表示装置３が自らコマーシャル終了タイミングを検出して当該チャンネルに切り換えてもよい。
【実施例１２】
【０２１６】
次に、本発明の第１２の実施例について説明する。なお、本実施例における構成および効果等も、特に断りのない限り、第７の実施例と同じであるため、以下では本実施例と第７の実施例との相違点を主に説明する。
【０２１７】
図２２は、端末装置１の見逃し防止処理を示すフローチャートである。
【０２１８】
ステップＳ２２００において、端末装置１の見逃し防止モードがオンの場合は、ステップＳ２２０１に進み、オフの場合は処理を終了する。
【０２１９】
ステップＳ２２０１〜ステップＳ２２０２については、図１６のステップＳ１６０１〜ステップＳ１６０２と同様であるため説明を省略する。
【０２２０】
次に、ステップＳ２２１２において、コマーシャルがあるチャンネルかどうかで処理を切り換える。コマーシャルがあればステップＳ２２０３に進み、コマーシャルがなければステップＳ２２０３には進まずに、ステップＳ２２００からの工程を繰り返す。コマーシャルがあるチャンネルかどうかは、例えばコマーシャルのないチャンネルの一覧表を予め記憶部２５に記憶しておき、ステップＳ２２０２において記憶したチャンネルと比較することにより判断することができる。
【０２２１】
ステップＳ２２０３〜ステップＳ２２０５については、図１６のステップＳ１６０３〜ステップＳ１６０５と同様であるため説明を省略する。
【０２２２】
ステップＳ２２０１〜Ｓ２２０５、およびステップＳ２２１２により、コマーシャルがあるチャンネルにおいてユーザがチャンネル変更せずに一定時間経過した後のコマーシャル切り換えを検出し、コマーシャル開始タイミングと判定する（ステップＳ２２０６）。
【０２２３】
ステップＳ２２０１〜ステップＳ２２０５については、図１６のステップＳ１６０１〜ステップＳ１６０５と同様であるため説明を省略する。ステップＳ２２０１〜Ｓ２２０５により、ユーザがチャンネル変更せずに一定時間経過した後のコマーシャル切り換えを検出し、コマーシャル開始タイミングと判定する（ステップＳ２２０６）。
【０２２４】
ステップＳ２２０７〜ステップＳ２２０９については、図１６のステップＳ１６０７〜ステップＳ１６０９と同様であるため説明を省略する。
【０２２５】
ステップＳ２２０７〜Ｓ２２０９により、コマーシャル開始後のコマーシャル切り換えを検出し、コマーシャル終了タイミングと判定する（ステップＳ２２１０）。
【０２２６】
次に、ステップＳ２２１１において、記憶部２５に記憶したチャンネルの選択コマンドを映像表示装置３に送信し、ステップＳ２２００からの工程を繰り返す。
【０２２７】
以上の構成により本発明の第１２の実施例では、第７の実施例と同様の効果を得ることができる。
【０２２８】
更に、端末装置１は、コマーシャルのないチャンネルに対しては見逃し防止処理を行わないため、コマーシャルのないチャンネルに切り換えた際に見逃し防止処理が誤動作することがない。コマーシャルのないチャンネルであっても音声が無音時のシーンチェンジはあるため、端末装置１がコマーシャル切り換えと判断する可能性があるが、これを防ぐことができる。
【０２２９】
なお、端末装置１ではなく映像表示装置３が一定時間チャンネル変更されない時のチャンネルを記憶しておき、映像表示装置３が自らコマーシャル終了タイミングを検出して当該チャンネルに切り換えてもよい。
【０２３０】
また、端末装置１あるいは映像表示装置３がコマーシャル終了タイミングに応じてチャンネルを切り換える代わりに、ユーザに映像や音声でコマーシャル終了を通知し、ユーザが自ら端末装置１を操作してチャンネルを切り換えてもよい。
【実施例１３】
【０２３１】
次に、本発明の第１３の実施例について説明する。なお、本実施例における構成および効果等も、特に断りのない限り、第７の実施例と同じであるため、以下では本実施例と第７の実施例との相違点を主に説明する。
【０２３２】
図２４は、映像表示装置３のリモート制御を行う際の端末装置１の動作を示すフローチャートである。
【０２３３】
ステップＳ２４０１〜ステップＳ２４０９については、図１５のステップＳ１５０１〜ステップＳ１５０９と同様であるため説明を省略する。
【０２３４】
ステップＳ２４１０において、端末装置１はユーザがリモート制御機能のチャンネル選択ボタンを押したかどうかを確認する。ユーザが端末装置１に表示された「１」「２」ボタン等のチャンネル選択ボタンを押した場合、ステップＳ２４１１に進む。ステップＳ２４１１については、図１５のステップＳ１５１１と同様であるため説明を省略する。
【０２３５】
次に、ステップＳ２４１４において、チャンネル選択権限がないことを示すステータスを受信したかどうかにより処理を切り換える。前記ステータスを受信した場合のみステップＳ２４１５に進み、当該チャンネルの映像を端末装置１の表示部２２に表示する。そして、ステップＳ２４０３からの工程を繰り返す。チャンネル選択権限がないことを示すステータスは、チャンネル選択権限がない場合に映像表示装置３から送られる。
【０２３６】
ステップＳ２４１０において、ユーザが端末装置１に表示されたリモート制御機能のチャンネル選択ボタンを押していない場合、ステップＳ２４１２に進む。ステップＳ２４１２〜ステップＳ２４１３については、図１５のステップＳ１５１２〜ステップＳ１５１３と同様であるため説明を省略する。
【０２３７】
これにより、映像表示装置３のチャンネル選択権限がない場合は、当該チャンネルの映像は端末装置１に表示される。
【０２３８】
図２５は、映像表示装置３の動作を示すフローチャートである。
【０２３９】
ステップＳ２５０１において、映像表示装置３は電源コマンドの受信を待つ。電源コマンドを受信したら、映像表示装置３は電源を入れ（ステップＳ２５０２）、電源コマンドを送信した端末装置１が何れであるかを示す情報、即ち、電源コマンドに付随して送信された識別コードを記憶部３５に記憶しておく（ステップＳ２５０９）。ここでは端末装置１ａが電源コマンドを送信したものとする。
【０２４０】
識別コードはＩＰ（Ｉｎｔｅｒｎｅｔ  Ｐｒｏｔｏｃｏｌ）アドレスや、端末装置１に個別に付与されるＩＤや電話番号などが適用可能である。また、一般的には一人のユーザが一つの端末装置１を所有することが想定されるため、端末装置１の製造メーカ等によってユーザごとに与えられるユーザＩＤを適用しても良い。この場合、ユーザＩＤは、ユーザの操作等に基づいて端末装置１に事前に記憶される。
【０２４１】
ステップＳ２５０３〜ステップＳ２５０４については、図１７のステップＳ１７０３〜ステップＳ１７０４と同様であるため説明を省略する。
【０２４２】
次に、ステップＳ２５０５において、映像表示装置３はチャンネル選択コマンドを受信したかどうかを確認する。チャンネル選択コマンドを受信した場合、映像表示装置３は、特定の端末装置１、即ち、電源のオンを指示した端末装置１からの設定コマンドかどうかを確認する（ステップＳ２５１０）。電源のオンを指示した端末装置１からの設定コマンドの場合、映像表示装置３は、指示通りチャンネル選択コマンド実行し（ステップＳ２５０６）、ステップＳ２５０３からの工程を繰り返す。
【０２４３】
ステップＳ２５１０において、電源のオンを指示した端末装置１による設定コマンドでない場合、映像表示装置３は、表示しているチャンネルがコマーシャル中かどうかを確認する（ステップＳ２５１１）。コマーシャル中の場合は、映像表示装置３は、指示通りコマンド実行し（ステップＳ２５０６）、ステップＳ２５０３からの工程を繰り返す。コマーシャル中でない場合は、映像表示装置３は、チャンネルを選択する権限がないことを示すステータス情報を該当する端末装置１に送った後（ステップＳ２５１２）、ステップＳ２５０３からの工程を繰り返す。コマーシャル中かどうかは映像表示装置３が判定する他、端末装置１から送信してもよい。
【０２４４】
ステップＳ２５０７〜ステップＳ２５０８については、図１７のステップＳ１７０７〜ステップＳ１７０８と同様であるため説明を省略する。
【０２４５】
これにより、映像表示装置３のチャンネルの選択は、テレビ番組中は映像表示装置３の電源を入れた端末装置１ａから指示された場合のみ可能になり、コマーシャル中であれば端末装置１ａの他、端末装置１ｂから指示された場合も可能になる。また、チャンネルの選択以外の操作は端末装置１ａからも端末装置１ｂからも可能である。
【０２４６】
以上の構成により本発明の第１３の実施例では、第７の実施例と同様の効果を得ることができる。
【０２４７】
更に、映像表示装置３のチャンネルの選択は、テレビ番組中は映像表示装置３の電源を入れた端末装置１ａから指示された場合のみ可能になり、端末装置１ｂから指示された場合は端末装置１ｂに映像を表示する。また、コマーシャル中であれば端末装置１ａの他、端末装置１ｂから指示された場合もチャンネルの選択が可能になる。
【実施例１４】
【０２４８】
図２６は、映像表示装置３のリモート制御を行う際の端末装置１の動作を示すフローチャートである。
【０２４９】
ステップＳ２６０１〜ステップＳ２６０５については、図１５のステップＳ１５０１〜ステップＳ１５０５と同様であるため説明を省略する。
【０２５０】
ステップＳ２６０６において、端末装置１はユーザが見逃し防止モードボタンを押したかどうかを確認する。ユーザが端末装置１に表示された「見逃し防止」モードボタンを押した場合、端末装置１は、見逃し防止モードをオンして、ステップＳ２６０３からの工程を繰り返す。
【０２５１】
ユーザが端末装置１に表示された「見逃し防止」モードボタンを押していない場合、ステップＳ２６１０に進む。ステップＳ２６１０〜ステップＳ２６１３については、図１５のステップＳ１５１０〜ステップＳ１５１３と同様であるため説明を省略する。
【０２５２】
図２７は、端末装置１の見逃し防止処理を示すフローチャートである。
【０２５３】
ステップＳ２７００において、端末装置１の見逃し防止モードがオンの場合は、ステップＳ２７０１に進み、オフの場合は処理を終了する。
【０２５４】
ステップＳ２７０１において、端末装置１は、ユーザが直前に設定したチャンネルを記憶する。
【０２５５】
ステップＳ２７０７〜ステップＳ２７１０については、図１５のステップＳ１５０７〜ステップＳ１５１０と同様であるため説明を省略する。ステップＳ２７０７〜Ｓ２７０９により、コマーシャル開始後のコマーシャル切り換えを検出し、コマーシャル終了タイミングと判定する（ステップＳ２７１０）。
【０２５６】
次に、ステップＳ２７１１において、記憶部２５に記憶したチャンネルの選択コマンドを映像表示装置３に送信し、ステップＳ２７１２において、見逃し防止モードをオフする。ステップＳ２７０８においてリモート制御機能のチャンネル選択ボタンが押されなかった場合は、記憶部２５に記憶したチャンネルの選択コマンドを映像表示装置３に送信しなくてもよい。
【０２５７】
以上の構成により本発明の第１４の実施例では、端末装置１は、ユーザが「見逃し防止」モードボタンを押した時に視聴中のチャンネルを記憶して、コマーシャル終了タイミングに応じて当該チャンネルの選択コマンドを映像表示装置３に送信する。
【０２５８】
ユーザがコマーシャル中に「見逃し防止」モードボタンを押してから「チャンネル」ボタンを押せば、コマーシャル中にユーザがチャンネルを切り換えてもコマーシャル終了時に切り換え前のチャンネルに戻るため、ユーザが視聴していたチャンネルのテレビ番組の見逃しを防ぐことができる。
【０２５９】
更に、コマーシャル中に「見逃し防止」モードボタンを押すことにより見逃し防止モードになり、コマーシャル終了時に解除されるため、端末装置１の消費電力を抑えることができる。
【０２６０】
なお、端末装置１ではなく映像表示装置３がチャンネルを記憶しておき、映像表示装置３が自らコマーシャル終了タイミングを検出して当該チャンネルに切り換えてもよい。
【０２６１】
また、端末装置１あるいは映像表示装置３がコマーシャル終了タイミングに応じてチャンネルを切り換える代わりに、ユーザに映像や音声でコマーシャル終了を通知し、ユーザが自ら端末装置１を操作してチャンネルを切り換えてもよい。
【０２６２】
尚、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０２６３】
また、上記の各構成、機能、処理部、処理手段等は、それらの一部又は全部を、例えば集積回路で設計する等によりハードウェアで実現しても良い。また、上記の各構成、機能等は、プロセッサがそれぞれの機能を実現するプログラムを解釈し、実行することによりソフトウェアで実現しても良い。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【０２６４】
また、制御線や情報線は説明上必要と考えられるものを示しており、製品上必ずしも全ての制御線や情報線を示しているとは限らない。実際には殆ど全ての構成が相互に接続されていると考えても良い。
【符号の説明】
【０２６５】
１…端末装置、２…リモコン、３…映像表示装置、５…放送局、６…無線ルータ、７…ネットワーク、２０…制御部、２１…テレビ信号受信部、２２…表示部、２３…音声出力部、２４…操作部、２５…記憶部、２６…ＬＡＮ通信部、３０…制御部、３１…テレビ信号受信部、３２…表示部、３３…音声出力部、３４…赤外線通信部、３５…記憶部、３６…ＬＡＮ通信部
【図１】
2014116705.tif 000003
【図２】
2014116705.tif 000004
【図３】
2014116705.tif 000005
【図４】
2014116705.tif 000006
【図５（ａ）】
2014116705.tif 000007
【図５（ｂ）】
2014116705.tif 000008
【図５（ｃ）】
2014116705.tif 000009
【図５（ｄ）】
2014116705.tif 000010
【図６】
2014116705.tif 000011
【図７】
2014116705.tif 000012
【図８】
2014116705.tif 000013
【図９】
2014116705.tif 000014
【図１０】
2014116705.tif 000015
【図１１】
2014116705.tif 000016
【図１２】
2014116705.tif 000017
【図１３（ａ）】
2014116705.tif 000018
【図１３（ｂ）】
2014116705.tif 000019
【図１３（ｃ）】
2014116705.tif 000020
【図１３（ｄ）】
2014116705.tif 000021
【図１４】
2014116705.tif 000022
【図１５】
2014116705.tif 000023
【図１６】
2014116705.tif 000024
【図１７】
2014116705.tif 000025
【図１８】
2014116705.tif 000026
【図１９】
2014116705.tif 000027
【図２０】
2014116705.tif 000028
【図２１】
2014116705.tif 000029
【図２２】
2014116705.tif 000030
【図２３】
2014116705.tif 000031
【図２４】
2014116705.tif 000032
【図２５】
2014116705.tif 000033
【図２６】
2014116705.tif 000034
【図２７】
2014116705.tif 000035